(57)【特許請求の範囲】
【請求項１】
エアコンの吹き出し口からの冷風又は温風にドリンク容器を接触可能に保持するホルダ本体から突設されており、ホルダ本体をエアコンのルーバに装着するためのドリンクホルダ用クリップであって、
ルーバを両側から挟む挟持片でクリップが構成されており、一方の挟持片の先端部分が他の挟持片側に屈曲していて、前記屈曲部が他の挟持片の先端部分に設けられている挿入溝内に嵌り込んでいることを特徴とするドリンクホルダ用クリップ。
【請求項２】
クリップを構成する挟持片が別体で構成されており、一方の挟持片の曲げ強さが他の挟持片の曲げ強さより大きくなるように構成されている事をことを特徴とする請求項１に記載のドリンクホルダ用クリップ。
【請求項３】
クリップが樹脂製である事をことを特徴とする請求項１又は２のいずれかに記載のドリンクホルダ用クリップ。
【発明の詳細な説明】
【０００１】
【産業上の利用分野】
本発明は、エアコン、殊に自動車に装備されるエアコンの吹き出し口のルーバに確実に装着でき且つルーバを傷つけないドリンクホルダ用クリップの改良に関する。
【０００２】
【従来の技術】
通常、自動車その他の車輛には車内を空調するためにエアコンが装備されていることが多いが、このエアコンの吹き出し口から噴出される冷気又は暖気を利用して車内で缶コーヒーや缶ジュース等の清涼飲料を冷却したり加温するため、いわゆるドリンクホルダ(B')と呼ばれるものが汎用されている。
【０００３】
このドリンクホルダ(B')は、図７のようにホルダ本体(1')の背面に装着された左右一対のクリップ(5')をルーバ(32')に挟み込んで固定する方式のものであった。
そのクリップ(5')の形状は、金属板を二つに折り曲げて挟持片(5a')(5b')を形成し、一方の挟持片の先端部分を内側に山形に屈曲させたもの（図示せず')や、前記山形屈曲部(5c')(5d')の位置をずらして形成したものなどがあり、ルーバ(32')を上下から単に挟み込むような形式のものであった。
【０００４】
このような形式のクリップ(5')では、単に上下からからルーバ(32')を挟み込んでいるだけであり、山形屈曲部(5c')(5d')が存在するもののホルダ本体(1')にルーバ(32')からクリップ(5')が抜け出る方向に力が加わった場合、その大きさによってはクリップ(5')の口が容易に開いて外れ、ドリンク缶（図示せず')と共にドリンクホルダ(B')が落下して床や座席シート或いは運転者や同乗者の衣服を汚したりする事があった。
【０００５】
また、クリップ(5')はその強度を必要とするところから、金属製のものが使用されていたため、ルーバ(32')に装着するとルーバ(32')の表面にクリップ(5')による擦過傷が出来、見苦しいという問題もあった。
【０００６】
【発明が解決しようとする課題】
そこで本発明の解決しようとする課題は、ドリンクホルダのルーバへの装着を完全なものとすると同時にルーバを傷つける事がないドリンクホルダ用クリップを提供することにある。
【０００７】
【課題を解決するための手段】
『請求項１』は、(i)エアコン(3)の吹き出し口(31)からの冷風又は温風にドリンク容器(4)を接触可能に保持するホルダ本体(1)から突設されており、ホルダ本体(1)をエアコン(3)のルーバ(32)に装着するためのドリンクホルダ用クリップ(5)であって、
(ii)ルーバ(32)を両側から挟む挟持片(6)(7)でクリップ(5)が構成されており、
(iii)一方の挟持片(6)の先端部分が他の挟持片(7)側に屈曲していて、前記屈曲部(8)が他の挟持片(7)の先端部分に設けられている挿入溝(9)内に嵌り込んでいることを特徴とする。
【０００８】
これによれば、ルーバ(32)を両側から挟む挟持片(6)(7)の一方の先端部分が、他方に屈曲しており、一方の挟持片(6)の前記屈曲部(8)が他の挟持片(7)の先端部分に設けられている挿入溝(9)内に嵌り込んでいるので、挟持片(6)(7)間に挿入されたルーバ(32)は、その全周が挟持片(6)(7)によって取り囲まれることになり、たとえ、クリップ(5)をルーバ(32)から抜き出す方向に力が加わったとしても、前記屈曲部(8)がルーバ(32)に係止してルーバ(32)からクリップ(5)が脱落するような事がない。
【０００９】
『請求項２』はドリンクホルダ用クリップ(5)を構成する挟持片(6)(7)が別体で構成されている場合で、「一方の挟持片(6)の曲げ強さが他の挟持片(7)の曲げ強さより大きくなるように構成されている」事をことを特徴とする。
【００１０】
クリップ(5)をルーバ(32)に着脱する場合、曲げ強さの小さいほうを曲げる事により簡単にクリップ(5)の口を開かせることが出来、着脱が容易になる。
【００１１】
『請求項３』はドリンクホルダ用クリップ(5)の材質に関し「クリップ(5)が樹脂製である」事をことを特徴とするもので、これによりルーバ(32)に装着してもルーバ(32)の表面を傷つける事がない。
【００１２】
【実施例】
以下、本発明を図示実施例に従って詳述するが、これによって本発明が限定されるものではない。ドリンクホルダ(A)は、ホルダ本体(1)及び、クリップ(5)を含むルーバ装着部(2)から主として構成されている。
【００１３】
上記ホルダ本体(1)は、胴部材(11)、ホルダ部材(12)及び底面部材(13)から構成されている。
胴部材(11)は、上面開口の主部を構成する枠部材(11a)と側面部材(11b)とからなり、これらは底面部材(13)と共に一体的に構成されている。
上記枠部材(11a)は略Ｃ型に構成されており、欠損部(11d)が前面側に位置し、後端部は後方に張り出されてルーバ装着部取付用の凸台部(11c)を構成している。
上記側面部材(11b)は、ホルダ本体(1)の前方及び後方にそれぞれ空気流通用開口(1a)(1b)を設定する形状を有している。
【００１４】
ホルダー部材(12)はエラストマーからなり、上記枠部材(11a)の欠損部(11d)に位置してその両端軸部(12a)が軸支され、これにより枠部材(11a)と共にホルダ本体(1)の上面開口を構成している。
【００１５】
底面部材(13)は、ドリンク缶を載置する載置面を構成すると共にその裏面にはアジャスタボード(13a)が設けられている。このアジャスタボード(13a)は、図２に示すように、底面部材(13)の裏面に設けられたスライド枠(13b)に沿って後方への進出及びホルダ本体(1)への収納というようにホルダ本体(1)に対して進退自在に構成されており、底面部材(13)の裏面に設けられた図示しない凸部と、アジャスタボード(13a)に設けられた図示しない複数の溝とによって、任意の長さで進出してそこで係合して固定できるように構成されている。
【００１６】
ルーバ装着部(2)は、この例では２つのクリップ(5)(5)から構成されている。クリップ(5)は、図２に示すような自動車に設けられる通常のエアコン(3)の吹き出し口(31)に設けられるルーバ(32)に挟持可能な形状に構成されているもので、ルーバ(32)を両側から挟む挟持片(6)(7)でクリップ(5)が構成されている。本実施例ではドリンクホルダ用クリップ(5)は別体の挟持片(6)(7)で構成されており、一方の挟持片(6)の先端部分がフック状に屈曲している。この部分を屈曲部(8)とする。
【００１７】
他の挟持片(7)は、その先端部分が二股のフォーク状に形成されており、その部分が挿入溝(9)となっている。勿論、挟持片(7)の先端部分を二股フォーク状に形成せず、単に孔又は凹所としてもよく、一対の挟持片(6)(7)を組み合わせた時に前記屈曲部(8)が挿入溝(9)内に嵌まり込み、クリップ(5)の口を閉じるようになっていればよい。
【００１８】
一方の挟持片(6)の合わせ面には、一対の突起(6a)が突設されており、他方の挟持片(7)の合わせ面には嵌合孔(7a)が凹設されており、図５のように挟持片(6)(7)を組み合わせた時、前記突起(6a)が嵌合孔(7a)に嵌まり込んで両者を一体化し、１つのクリップ(5)を形成する。
挟持片(7)の先端部分には図５から分かるように、挟持片(6)側にわずかにわずかに湾曲した山形湾曲部(7b)が形成されており、ルーバ(32)への挿入が容易になるようになっている。
【００１９】
また、両挟持片(6)(7)の後端には係止溝(10)がそれぞれ形成されており、凸台部(11c)に水平方向に長く穿設された形成されている長孔(11d)に両挟持片(6)(7)の後端が挿入され、前記係止溝(10)に長孔(11d)の孔縁が嵌まり込んで水平方向の移動出来、任意の位置にて凸台部(11c)の両側にクリップ(5)が止まるようになっている。
【００２０】
前記クリップ(5)を構成する挟持片(6)(7)は合成樹脂製で、一方の挟持片(6)のの曲げ強さが他の挟持片(7)の曲げ強さより大きくなるように構成されている。
強度差をつける方法として、材質を変える場合、肉厚やリブをつける場合など形状的な差を付ける場合などがある。いずれの場合でもよいと、両者を合わせてもよい。本実施例では、挟持片(6)の材質が挟持片(7)よりも硬く、且つ肉厚も厚くなるように形成してある。
また、本実施例ではルーバ(32)の上に来る挟持片(6)の方が高強度に形成されているが勿論これに限られず、挟持片(7)側を高強度に形成してもよい。
【００２１】
以上の様に構成されたドリンクホルダ(A)の作用を説明する。
まず、ドリンクホルダ(A)のクリップ(5)を、取付けを意図するエアコン(3)の吹き出し口(31)に設けられたルーバ(32)に挟み込む。このときクリップ(5)の左右の間隔を縦フィン（図示せず）に当たらないように調節しておき、挟持片(7)を押し広げて挟持片(6)の屈曲部(8)が挟持片(7b)の挿入溝(9)から離脱してクリップ(5)の口が開くようにし、その山形湾曲部(7b)をルーバ(32)の下面に係止させて滑らせ、挟持片(6)(7)間の取付間隙(T)内に嵌め込む。
【００２２】
取付間隙(T)にルーバ(32)が嵌まり込むと、挟持片(7)はその弾発力で元に戻り、屈曲部(8)が挿入溝(9)内に嵌まり込んでクリップ(5)の口を閉じる。これにより、ルーバ(32)は、その全周がクリップ(5)の取付間隙(T)にて取り囲まれた状態となり、たとえ、脱落方向に力が加わったとしても屈曲部(8)がルーバ(32)に係合して脱落する事がない。次いで、アジャスタボード(13a)を、例えば図２のように、取付け対象のエアコン(3)の形状に合わせて適宜引き出し、ドリンクホルダ(A)を略水平に保持する。
【００２３】
このように設置されたドリンクホルダ(A)にドリンク缶を保持させる場合、例えばドリンク缶(4)が太缶（３００ｍｌ程度のもの）である場合は、図３に示すようにホルダ本体(1)の胴部材(11)に設けられたホルダ部材(12)を手前に引き出して外方に彎曲させれば、枠部材(11a)の上面開口は大きく設定されるので、十分載置・保持することがてきる。
【００２４】
また、ドリンク缶(4)が細缶である場合、図３の破線で示すようにホルダ本体(1)の胴部材(11)に設けられたホルダ部材(12)をホルダ本体内に押圧して内方に彎曲させれば、枠部材(11a)の上面開口は小さく制限されるので、細缶であってもこの開口内でホルダ部材(12)に拘束されて保持されることとなり、ガタつかずまた倒れずに保持することができる。
【００２５】
ドリンクホルダ(A)をルーバ(32)から外す場合、柔らかいほうの挟持片(7)を押して撓ませ、前述同様、屈曲部(8)が挿入溝(9)から離脱するようにしてクリップ(5)の口が開かせ、挟持片(7)に沿ってルーバ(32)を滑らせ、クリップ(5)を離脱させる。
【００２６】
【発明の効果】
本発明によれば、一方の挟持片の先端に設けられた屈曲部が他の挟持片の先端部分に設けられている挿入溝に挿入しているので、クリップをルーバに装着した場合、挟持片間に挿入されたルーバの全周が挟持片によって取り囲まれることになり、たとえ、クリップをルーバから抜き出す方向に力が加わったとしても、前記屈曲部がルーバに係止して脱落しない。
また、クリップを構成する挟持片を別体で構成し、その間に強度差を付けておく事により、柔らかいほうの挟持片を曲げる事により簡単にクリップの口を開かせることが出来、着脱が容易になる。
また、クリップを合成樹脂製とする事により、ルーバに装着時にルーバの表面を傷つける事がない。
【図面の簡単な説明】
【図１】本発明のドリンクホルダの第１実施例の正面図
【図２】図１の右側面図
【図３】図１の平面図
【図４】本発明のドリンクホルダに用いられるクリップの平面図
【図５】図４の右側面図
【図６】図４の底面図
【図７】従来のドリンクホルダの斜視図
【符号の説明】
(A)…ドリンクホルダ
(1)…ホルダ本体                       (1a),(1b)…空気流通用開口
(2)…ルーバ装着部                     (3)…エアコン
(4)…ドリンク缶                       (5)…クリップ
(6)…挟持片                           (6a)…突起
(7)…挟持片                           (7a)…嵌合孔
(7b)…山形湾曲部                      (8)…屈曲部
(9)…挿入溝                           (10)…係止溝
(11)…胴部材                          (11a)…枠部材
(11b)…側面部材                       (11c)…凸台部
(11d)…長孔                           (12),(12Aa),(12Ab)…ホルダ部材
(13)…底面部材                        (13a)…アジャスタボード
(13b)…スライテド枠                   (13c)…ボタン
(31)…吹き出し口                      (32)…ルーバ
(33)…横フィン                        (34)…縦フィン
【図１】
0003636540.tif 000002
【図２】
0003636540.tif 000003
【図３】
0003636540.tif 000004
【図４】
0003636540.tif 000005
【図５】
0003636540.tif 000006
【図６】
0003636540.tif 000007
【図７】
0003636540.tif 000008